(57)【要約】【課題】奥行き方向一対の支柱３どうしを連結部材５によって連結され、前記支柱３が、互いに対面する内側が開放した横断面形状である、ラックの側枠構造体１において、前記支柱３に開放断面のものを使用しながら、当該支柱３の内部に塵埃などの異物が侵入堆積するのを予防出来るようにする。【解決手段】支柱３の開放端部７の両側板部７ａ間に、開放端部７を塞ぐカバー８が嵌合され、このカバー８は、前記開放端部７の両側板部７ａの内側に重なる左右両側板部８ｂと、支柱３の内部に入り込む底板部８ａとを備えた、横断面コ字形のものであって、このカバー８の左右両側板部８ｂ間に前記連結部材５の端部を嵌入させた状態で、当該連結部材５の端部、カバー８の左右両側板部８ｂ、及び支柱３の開放端部７の両側板部７ａを貫通する締結具１２により、連結部材５の端部が支柱３に取り付けられた構成。【選択図】図３
2018050660.tif 000002
【特許請求の範囲】
【請求項１】
奥行き方向一対の支柱どうしを連結部材によって連結して成るラックの側枠構造体であって、前記支柱が、互いに対面する内側が開放した横断面形状であり、前記連結部材の端部が前記支柱の左右両側板部間に入り込んだ状態で締結具により支柱に取り付けられている、ラックの側枠構造体において、前記支柱の左右両側板部間に、この支柱の内部空間を塞ぐカバーが嵌合され、このカバーは、前記支柱の左右両側板部の内側に重なる左右両側板部と、前記連結具よりも支柱の内部に入り込む底板部とを備えた、横断面コ字形のものであり、前記締結具は、前記連結部材の端部、前記カバーの左右両側板部、及び前記支柱の左右両側板部を貫通している、ラックの側枠構造体。
【請求項２】
前記支柱の左右両側板部には、その開放端側縁から左右外向きに張出し板部が折曲連設され、前記カバーには、その左右両側板部の開放端側縁から、前記支柱側の左右両張出し板部の外側に重なる張出し板部が折曲連設されている、請求項１に記載のラックの側枠構造体。
【請求項３】
前記カバーは、前記支柱を形成する板材よりも板厚の薄い薄板材から形成されている、請求項１又は２に記載のラックの側枠構造体。
【発明の詳細な説明】
【技術分野】
【０００１】
本発明は、奥行き方向一対の支柱どうしを連結部材によって連結して成る、ラックの側枠構造体に関するものである。
【背景技術】
【０００２】
ラックの側枠構造体は、棚板や荷支持用フレームなどの、荷を支持するための荷支持用部材の間口方向の両端を支持する部材として使用されるものであり、奥行き方向一対の支柱どうしを連結部材によって連結して成るものが知られている。この種の側枠構造体としては、例えば特許文献１に記載されるように、前記支柱が、互いに対面する内側が開放した横断面形状であって、前記連結部材の端部は、前記支柱の左右両側板部間に挿入された状態で、当該連結部材の端部と前記支柱の左右両側板部とを貫通する締結具により、前記支柱に取り付けられている。
【先行技術文献】
【特許文献】
【０００３】
【特許文献１】特開平１０−１８１８１８号公報
【発明の概要】
【発明が解決しようとする課題】
【０００４】
上記のような支柱構造では、奥行き方向一対の支柱どうしを連結する連結部材の取り付けのために、支柱の内側が開放状態のままであって、この開放端部から塵埃などの異物が支柱内に入り込んで付着堆積する恐れがあり、ラックの使用環境によっては、長期間の使用によって支柱内に入り込んで付着堆積した塵埃などの異物が、周囲の環境に悪影響を及ぼす懸念があった。尤も、角パイプ材など、閉断面構造の支柱を使用すれば、前記のような問題点は解消するが、連結部材の取付けには、支柱の外側面に連結部材の端面を溶接する方法や、連結部材の端面に溶接などで固着された取付け板を支柱の外側面にボルトなどで取り付ける方法によらなければならず、大幅なコストアップは免れない。
【課題を解決するための手段】
【０００５】
本発明は、上記のような従来の問題点を解消することの出来るラックの側枠構造体を提案するものであって、本発明に係るラックの側枠構造体は、後述する実施例との関係を理解し易くするために、当該実施例の説明において使用した参照符号を括弧付きで付して示すと、奥行き方向一対の支柱(3)どうしを連結部材(4,5)によって連結して成るラックの側枠構造体(1)であって、前記支柱(3)が、互いに対面する内側が開放した横断面形状であり、前記連結部材(4,5)の端部が前記支柱(3)の左右両側板部(7a)間に入り込んだ状態で締結具(12)により支柱(3)に取り付けられている、ラックの側枠構造体において、前記支柱(3)の左右両側板部(7a)間に、この支柱(3)の内部空間を塞ぐカバー(8)が嵌合され、このカバー(8)は、前記支柱(3)の左右両側板部(7a)の内側に重なる左右両側板部(8b)と、前記連結部材(4,5)よりも支柱(3)の内部に入り込む底板部(8a)とを備えた、横断面コ字形のものであり、前記締結具(12)は、前記連結部材(4,5)の端部、前記カバー(8)の左右両側板部(8a)、及び前記支柱(3)の左右両側板部(7a)を貫通する構成になっている。
【発明の効果】
【０００６】
上記本発明の構成によれば、従来の開放断面の支柱をそのまま使用し、支柱に対する連結部材の取り付けにも、支柱内に差し込んだ連結部材の端部を横断貫通するボルトナットなどの締結具を使用する、従来の取付け構造をそのまま使用することが出来るものでありながら、支柱の内部空間は、この支柱内に差し込まれた連結部材の端部より内側にはなるが、横断面コ字形という単純形状のカバーによって、支柱の全長にわたって確実に閉じることが出来る。従って、横断面コ字形のカバーを追加するためのコストはかかるが、支柱が開放断面のものである場合に懸念された問題点が完全に払拭され、しかも、支柱を閉断面構造体に代えると共に支柱に対する連結部材の取り付けに溶接を利用する、従来周知の解決手段と比較して、簡単且つ容易に実施することが出来、大幅なコストダウンを図ることが出来る。
【０００７】
上記本発明を実施する場合、前記支柱(3)として、その左右両側板部(7a)に、その開放端側縁から左右外向きに張出し板部(7b)が折曲連設されている支柱(3)を使用する場合、前記カバー(8)には、その左右両側板部(8b)の開放端側縁から、前記支柱(3)側の左右両張出し板部(7b)の外側に重なる張出し板部(8c)を折曲連設しておくことが出来る。この構成によれば、カバーを支柱内に嵌入させて、カバー側の張出し板部を支柱側の張出し板部の外側に重ねるだけで、支柱に対するカバーの取付け位置が確定することになり、側枠構造体の組み立てが容易になる。又、横断面において、支柱とカバーとの間の互いに隣接する個所が、途中で屈曲する形状になるので、連結部材の端部をカバーより支柱の内側に入り込ませるための特別な加工をカバーに施す必要もないことと相俟って、支柱の外側から支柱の内部に塵埃などが侵入するのを防ぐ効果は、一層向上する。
【０００８】
尚、前記カバー(8)は、前記支柱(3)を形成する板材よりも板厚の薄い薄板材、例えば板厚0.4mm程度の薄板材から形成するのが望ましい。このような薄板材から成るカバーであれば、支柱の左右両側板部間に入り込むカバー側全体の厚さが、0.8mm程度と極めて小さいので、支柱の開放端部の両側板部間の寸法と、この支柱側の左右両側板部間で締結される連結部材側全体の左右横方向の寸法との間に確保されている遊び代の範囲内で、カバーを組み込むことが出来、支柱や連結部材を従来のものそのままで、本発明を実施することが出来る。
【図面の簡単な説明】
【０００９】
【図１】図１は、本発明を適用することが出来る側枠構造体を備えたラックの一例を示す斜視図である。
【図２】図２は、本発明の実施例における要部の縦断側面図である。
【図３】図３Ａは、連結部材取付け位置から離れた場所での支柱の横断面図、図３Ｂは、連結部材取付け位置での支柱の横断面図である。
【図４】図４は、支柱とカバーとを示す斜視図である。
【発明を実施するための形態】
【００１０】
図１に示すラックは、左右一対の側枠構造体１間に、上下複数段の棚用枠組み構造体２を架設したものである。側枠構造体１は、奥行き方向一対の支柱３間に、上下両端の水平連結部材４と、中間の斜め連結部材５とを架設して、一体化したものである。棚用枠組み構造体２としては、左右一対の側枠構造体１の手前側支柱３間と奥側支柱３間とに架設される前後一対の主ビーム材２ａと、この前後一対の主ビーム材２ａどうしを繋ぐ、間口方向適当間隔おきに架設された副ビーム材２ｂとによって構成されたものを示しているが、従来周知の各種構造のものが使用出来る。例えば、左右横方向に隣り合う２つの側枠構造体１間に１つの荷を支持するタイプのラックの場合は、左右横方向に隣り合う２つの側枠構造体１から同一高さでそれぞれ荷支持部材を片持ち状に突設される。このようなラックの場合は、荷支持部材とは別に、左右横方向に隣り合う２つの側枠構造体どうしを連結する連結部材が併用される。
【００１１】
以下、本発明が適用実施された側枠構造体１を、図２〜図４に基づいて説明すると、支柱３は、一枚の帯状板材から一体成形された、全長にわたって同一横断面形状のものであって、その横断面形状において、巾の広い支柱本体部６と巾が狭まった開放端部７とから構成されている。支柱本体部６は、左右巾方向の中央位置にＶ字形に窪む凹溝部６ａを備えた正面板部６ｂと、この正面板部６ｂの左右両側辺につながる、互いに平行な左右両側板部６ｃ、及びこの左右両側板部６ｃから斜め内側に連なる、横断面形状が先窄まり状の左右両傾斜側板部６ｄから構成されている。開放端部７は、支柱本体部６の左右両傾斜側板部６ｄにつながる、互いに平行な左右両側板部７ａと、この左右両側板部７ａから外向き直角につながる左右両張出し板部７ｂとから構成されている。
【００１２】
支柱３には、当該支柱３と同一の全長を有するカバー８が組み込まれている。このカバー８は、支柱３と同様に、一枚の帯状板材から一体成形された、全長にわたって同一横断面形状のものであって、その横断面形状において、底板部８ａと、この底板部８ａの左右両側辺につながる、互いに平行な左右両側板部８ｂ、及びこれら左右両側板部８ｂから外向き直角につながる左右両張出し板部８ｃから構成された、横断面がリップ付きのコ字形のものである。このカバー８は、支柱３の開放端部７に対し、外側から支柱３の内部に向けて、底板部８ａ側から嵌め込んだとき、当該開放端部７における左右両側板部７ａの内側面に、カバー８の左右両側板部８ｂを隣接させると共に、当該カバー８の左右両張出し板部８ｃを、支柱３の開放端部７における左右両張出し板部７ｂの外側に重ねることが出来、このときにカバー８の底板部８ａが、支柱３の支柱本体部６における左右両側板部６ｃと左右両傾斜側板部６ｄとの間の境界部付近の深さまで達するように、サイズが設定されている。
【００１３】
水平連結部材４及び斜め連結部材５の両端は、開放端部７が互いに対面する向きで配置された奥行き方向一対の支柱３に連結されるが、この実施例におけるこれら各連結部材４，５は、支柱３における開放端部７の左右両側板部７ａ間の内巾の３／４弱程度の巾を有するもので、下側板部の巾の中央に、この連結部材４，５の巾の１／３強程度の巾のスリット９が全長にわたって形成された、角形のリップ付きＣ型鋼状のものである。そしてこれら各連結部材４，５の両端部の上側板部には、その巾の１／３強程度の巾の切込み１０が、端辺から各連結部材４，５の長さ方向に沿って、巾の中央位置に形成されている。従って、水平連結部材４の端部と斜め連結部材５の端部との交差部、及び上下の斜め連結部材５の端部どうしの交差部では、図３Ｂに示す斜め連結部材５の端部どうしの交差部１１で例示するように、各連結部材４，５のスリット９と切込み１０とを利用して、各連結部材４，５の端部どうしを互いに噛み合わせて、当該連結部材端部どうしの交差部１１の全体の巾を、支柱３の開放端部７における左右両側板部７ａ間に、適度の余裕をもって嵌め込める巾としている。具体的には、カバー８が厚さ0.4mmの薄板材で構成されているとして、支柱３の開放端部７における左右両側板部７ａ間の内巾から、カバー８の左右両側板部８ｂの板厚合計の0.8mmを除算した寸法より、前記連結部材端部どうしの交差部１１の全体の巾を若干狭めている。
【００１４】
上記構成により、カバー８を前記のように支柱３の開放端部７に嵌め込んだ状態の支柱３に対して、水平連結部材４の単独端部と、連結部材の端部どうしの交差部１１を、カバー８の左右両側板部８ｂ間に所定深さまで嵌め込み、支柱３の開放端部７における左右両側板部６ｃと、カバー８の左右両側板部８ｂ、及び水平連結部材４の単独端部、又は連結部材の端部どうしの交差部１１の全体を、水平に貫通するボルトナットなどの締結具１２により締結して、側枠構造体１が組み立てられている。尚、連結部材の端部どうしの交差部１１を支柱３に連結する締結具１２は、十分に締め付けて、連結部材の端部どうしの交差部１１を支柱３に強固に固定することが出来るが、水平連結部材４の単独端部は、支柱３に嵌め込まれているカバー８の左右両側板部８ｂ間の内巾より１／４程度、巾が狭いので、この水平連結部材４の単独端部を支柱３に連結する締結具１２には、当該水平連結部材４の単独端部とカバー８の片側の側板部８ｂとの間の隙間を埋めるスペーサーを併用するのが望ましい。
【００１５】
又、カバー８は、前記のように支柱３の全長と同一長さのものを使用することが出来るが、カバー８の長さを支柱３の全長より短くし、複数本のカバー８を接続状態で支柱３に取り付けるようにしても良い。何れにしても、１つのカバー８に対して、連結部材４，５を取り付ける締結具１２が、少なくとも２か所において使用されるように構成すれば、カバー８を支柱３に対して固定するための締結手段を、連結部材４，５を取り付ける締結具１２で兼用させることも出来る。しかしながら、連結部材４，５が支柱３に取り付けられる前の状況において、カバー８が不測に支柱３から脱落するのを防止するためには、例えば、図３Ａに示すように、タッピングビスなどの止着具１３により、支柱３の開放端部７における左右両側板部７ａと、これの内側に重なるカバー８の左右両側板部８ｂとを、互いに固着することが出来る。勿論、カバー８を支柱３に固定する手段としては、止着具１３の他、接着剤（粘着剤）や接着テープ（粘着テープ）なども利用出来る。尚、図４において、１４は、締結具１２用の下孔であり、１５は、止着具１３用の下孔である。又、図２に仮想線で示すように、支柱３の上端開口部を閉じるキャップ１６を、必要に応じて併用することが出来る。
【００１６】
尚、上記実施例に示した支柱３の横断面形状は、一例に過ぎず、この横断面形状に限定されるものではない。例えば、巾が狭まった開放端部７が無くて、支柱本体部６の左右両側板部６ｃがそのまま開放端まで延長されて、その遊側辺に左右両張出し板部７ｂが連設された横断面形状の支柱３であっても良い。
【産業上の利用可能性】
【００１７】
本発明のラックの側枠構造体は、この側枠構造体を構成する支柱に開放断面のものを使用しながら、当該支柱の内部に塵埃などの異物が侵入堆積するのを予防出来る側枠構造体として、活用出来る。
【符号の説明】
【００１８】
１    側枠構造体
２    棚用枠組み構造体
３    支柱
４    水平連結部材
５    斜め連結部材
６    支柱の支柱本体部
６ｂ    正面板部
６ｃ，７ａ，８ｂ    左右両側板部
６ｄ    左右両傾斜側板部
７    支柱の開放端部
７ｂ，８ｃ    左右両張出し板部
８    カバー
８ａ    底板部
１２    ボルトナットなどの締結具
１３    タッピングビスなどの止着具
１６    キャップ
【図１】
2018050660.tif 000003
【図２】
2018050660.tif 000004
【図３】
2018050660.tif 000005
【図４】
2018050660.tif 000006